【事件の表示】
　特願２０００−２２７５９６号「光源装置」拒絶査定不服審判事件〔平成１３年３月１６日出願公開、特開２００１−６７９１６号〕について、次のとおり審決する。
【結　論】
　本件審判の請求は、成り立たない。
【理　由】
１．手続の経緯・本願発明
　本願は、平成２年１０月５日にした特願平２−２６７９９９号の一部を平成１２年７月２７日に新たな特許出願としたものであって、その請求項１〜５に係る発明は、平成１３年１２月２８日付け手続補正書によって補正された特許請求の範囲の請求項１〜５に記載されたとおりのものと認められるところ、その請求項１に係る発明（以下、「本願発明」という。）は次のとおりである。
「導光体に光源からの光を入射し、前記導光体の光出射面から光を出射する光源装置において、前記導光体が、少なくとも一つの表面に光拡散処理が施されるとともに、屈折率の異なる有機微粒子を１０００ｐｐｍ以下の濃度で含有する光拡散性を有するプラスチック材料により形成されていることを特徴とする光源装置。」
　
２．刊行物
イ．刊行物１
　これに対して、原査定の拒絶の理由に引用された本願出願の日前に頒布された実願昭５５−１３１４４７号（実開昭５６−５８６７８号）のマイクロフイルム（以下、「刊行物１」という。）には、第１〜６図とともに以下の事項が記載されている。
（あ）「照明ランプを備えた液晶表示装置の照明用導光板に於て、前記導光板は透明物質よりなり、前記透明物質中には前記透明物質とは異なる屈折率を有する光散乱用の透明微粒子が混入され、前記微粒子は前記照明ランプに近い部分は少なく、前記照明ランプから隔れた部分には多く混入されたことを特徴とする液晶表示装置の照明用導光板。」（実用新案登録請求の範囲の請求項１）
（い）「本考案の目的は、液晶表示装置を均一に照明することにある。電界効果型液晶表示装置を照明する従来の方法は、第１図に示す如く、液晶セル１の裏面に導光板２を設置し、導光板の側面に設けた照明ランプ３により照明を行っている。」（明細書第２頁第１６行〜第３頁第２行）
（う）「第３図は本考案による照明用導光板である。アクリル樹脂等により透明な導光板１３の中に導光板を形成する物質とは埋折率の異なるポリスチレン等による透明な微粒子１４を混入して光散乱効果を持たせたものである。」（明細書第４頁第３〜７行）
（え）「第４図は本考案の他の実施例である。この実施例では照明効果を向上させるため、導光板１５の上面１６を光散乱面としたもので、この凹凸を設けることにより微粒子１４の混入量を全体として少なくすること、又は照明ランプ３の近くはほとんど混入しないことが可能になる。この結果第３図の実施例よりも全体として明るくなり、より大きな照明効果が期待できる。第５図は、本考案のさらに別の実施例である。第４図に示した実施例に加えて、さらに導光板１７の下面をも光散乱面９としたものである。この場合、下面には反射物質１１を設け、光散乱と反射の双方の機能を有する様として構成してある。第５図の実施例によれば第４図の実施例と同様にさらに明るい照明が可能となる。」（明細書第４頁第１６行〜第５頁第１０行）
（お）第２及び３図には、照明ランプ３からの光が導光板２，１３の側面より入射し導光板２，１３の上面より射出される様子が矢印で示され、第４及び５図には、導光板１５，１７の上面１６，１８及び下面を凹凸を設けた散乱面とすることが示されている。
　上記（あ）〜（お）の記載及び図面に示された内容を総合すると、刊行物１には以下のとおりの発明（以下、「引用発明１」という。）が記載されているものと認められる。
「導光板１３の側面より照明ランプの光が入射し、導光板１３の上面より光が射出する照明用導光板であって、導光板１３の上面１６，１８又は下面を散乱面とするとともに、屈折率の異なるポリスチレンによる透明な微粒子１４を混入して光散乱効果を持たせたアクリル樹脂により形成されている照明用導光板。」
ロ．刊行物２　
　また、原査定の拒絶の理由に引用された本願出願の日前に頒布された特開昭５２−１４１５９８号公報（以下、「刊行物２」という。）には、第１〜３図とともに以下の事項が記載されている。
（あ）「表示管と、この表示管の背後に位置し透明材料で成る光のガイド板をそれ自体が含んでいる照明装置とで構成されるものに於いて、全体として拡散効果を生み出す不透過性無機粒子が光のガイド板材料中に撒き散らされることを特徴とする受動電気光学的表示装置。」（特許請求の範囲の請求項１）
（い）「光のガイド板の上面をサンドブラストすること等によつてデイフューザを完成する」（第２頁左下欄第７〜９行）
（う）「第１図に於ける受動電気光学的表示装置は２個の偏光子２及び３を備えた液晶の表示管１から成っている。この表示装置は、表示管１の背後に位置し且つ光のガイドの役割を果たす例えばメチルポリメタクリレートの如き透明プラスチック材料の板５中に配されたフイラメント電球の光源４で成る照明装置を有している。」（第２頁右下欄第８〜１５行）
（え）「光のガイド材料中に分布する粒子６はそれ自体が拡散体であり、光源４から発せられガイド板５によって導かれる光の拡散効果を生み出す。」（第３頁左上欄第３〜５行）
（お）「光のガイド板となるプラスチック材料に対する微粉体の粒子物質の割合は０．０１％乃至０．５％であるのがよい。実際にもつと少ない値であれば拡散効果を弱過ぎ、逆に値が大きければ光のガイド板５のうち光源４より最も離れ部分は最早充分に光を受けず、結果的に表示管１の一部は読取りを可能ならしめるに必要なだけ照明されない。」（第３頁左上欄第１６行〜右上欄第２行）
（か）「補助デイフューザ８は・・・強度に光を拡散させる故に、光のガイド板となるプラスチック物質に混入すべき拡散粒子を形成する微粉体物質の割合を減少させることが可能であり、その結果拡散効果を過度に減ずることなしに光をより良く分布させる。」（第３頁右上欄第１４〜１９行）
　
３．対比・判断
　本願発明と引用発明１を対比すると、その機能・構造からみて、後者の「導光板１３」及び「照明用導光板」は前者の「導光体」に相当し、以下同様に、「照明ランプ」は「光源」に、「導光板１３の上面より光が射出する」は「導光体の光出射面から光を出射する」に、「導光板１３の上面１６，１８又は下面を散乱面とする」は「表面に光拡散処理が施される」に、「ポリスチレンによる透明な微粒子１４を混入して光散乱効果を持たせたアクリル樹脂により形成されている」は「有機微粒子を」「含有する光拡散性を有するプラスチック材料により形成されている」に、それぞれ相当し、また、後者の照明ランプと照明用導光板とを組み合わせて導光板１３の上面より射出する光により照明するものは、前者の光源装置に相当するといえる。
　そうすると、両者は「導光体に光源からの光を入射し、前記導光体の光出射面から光を出射する光源装置において、前記導光体が、表面に光拡散処理が施されるとともに、屈折率の異なる有機微粒子を含有する光拡散性を有するプラスチック材料により形成されている光源装置。」の点で一致し、
有機微粒子について、前者が「１０００ｐｐｍ以下の濃度」としているのに対して、後者の濃度は明確でない点で相違する。
　
　上記相違点について検討する。
　そもそも、導光板の輝度を均一にすることは当該技術分野において周知の課題である。
そして、刊行物２には、プラスチック材料に対する微粉体の粒子物質の割合の値が大きければ光源から離れた部分は光を受けないこと〔２．ロ．（お）参照〕、補助ディフューザを用いると微粉体物質の割合を減少させることが可能であり、その結果拡散効果を過度に減ずることなしに光をより良く分布させること〔２．ロ．（か）参照〕と示されるように、適切な一定以下の濃度とすることが示唆されている。
ところで、刊行物２は不透過性無機粒子を用いるものではあるものの、それ自体が拡散体であり微粉体の粒子物質の光のガイド板となるプラスチック材料に対する割合として０．０１％乃至０．５％、つまり相違点に係る１０００ｐｐｍ以下と重複する１００〜５０００ｐｐｍとすることも示されている。また、例えば特開平１−２９２０６４号公報にも、プラスチック材料であるマトリックス重合体中に、マトリックス重合体と屈折率の異なる、平均２〜１５μｍの重合体粒子である有機微粒子が、１０００ｐｐｍを含む０．１〜４０重量％で分散された光散乱性組成物が示されている様に、相違点に係る１０００ｐｐｍ以下という数値については、含有させる微粒子の濃度として当業者が普通に想定しうる範囲のものであり、かつその数値自身に臨界的意義も認められない。
　さらに、有機微粒子の拡散効果については、濃度とともに、有機微粒子そのものの具体的材質や形状、大きさ等も関連させて考慮すべき事項であることが明らかである。
　そうすると、引用発明１における有機微粒子の濃度について、その導光体の具体的構成に応じて、１０００ｐｐｍ以下とすることは、当業者にとって格別の困難性を要することなく設定し得る設計事項であると認められる。
　そして、本願発明を全体としてみても、その効果は、引用発明１及び刊行物２に記載の事項、並びに従来より周知の技術から当業者が予測できる程度のものであって、格別のものとはいえない。
　
４．むすび
　以上のとおりであるから、本願発明はその出願日前に頒布された刊行物１及び刊行物２に記載の事項、並びに上記周知技術に基づいて当業者が容易に発明をすることができたものであるので、特許法第２９条第２項の規定により特許を受けることができない。
　よって、結論のとおり審決する。